(57)【要約】【課題】リモコン装置の電池残量の低下をユーザが関知していない状況においても、適時の電池交換によってリモコン装置の探索を可能とすることが出来る電子機器を提供する。【解決手段】本発明に係るリモコン機能付き電子機器は、本体８とリモコン装置４とから構成され、本体８は、リモコン装置４へロケータ信号を送信するロケータ送信部８３を具える一方、リモコン装置４は、本体８から送られてくるロケータ信号を受信するロケータ受信部４４と、ロケータ信号の受信に応じて動作する音声発生部４９と、電源となる電池４７と、電池残量検出手段４８とを具え、制御部４１は、ロケータ信号が受信されたとき、電池残量が所定値を上回っている場合には第１のパターンによる報知を音声発生部４９に指令する一方、電池残量が所定値を上回っていない場合には、第２のパターンによる報知を音声発生部４９に指令する。【選択図】図１
2008306246.tif 000002
【特許請求の範囲】
【請求項１】
機器本体と、該機器本体に対してリモートコントロール信号を送信するリモートコントロール装置とから構成され、機器本体は、リモートコントロール装置へロケータ信号を送信するロケータ送信手段を具える一方、リモートコントロール装置は、機器本体から送られてくるロケータ信号を受信するロケータ受信手段と、該ロケータ受信手段によるロケータ信号の受信に応じて動作する報知手段とを具えている電子機器において、
前記リモートコントロール装置は、電源となる電池と、該電池の残量を検出する電池残量検出手段と、該電池残量検出手段によって検出された電池残量が所定値を上回っているか否かを判断する判断手段とを具え、前記ロケータ受信手段によってロケータ信号が受信されたとき、前記判断手段によって電池残量が所定値を上回っていないと判断された場合は、ロケータ信号の受信に応じた報知と同時に、電池残量低下の報知を行なうことを特徴とするリモートコントロール機能付き電子機器。
【請求項２】
前記リモートコントロール装置は、前記ロケータ受信手段によってロケータ信号が受信されたとき、前記報知手段に動作を指令する指令手段を具え、該指令手段は、前記判断手段によって電池残量が所定値を上回っていると判断された場合は、第１のパターンによる報知を前記報知手段に指令する一方、電池残量が所定値を上回っていないと判断された場合は、第２のパターンによる報知を前記報知手段に指令する請求項１に記載のリモートコントロール機能付き電子機器。
【請求項３】
前記所定値は、リモートコントロール装置の報知手段による報知動作に必要な電力を賄うことの出来る最低限の電池残量以上の電池残量値に設定されている請求項１又は請求項２に記載のリモートコントロール機能付き電子機器。
【請求項４】
前記報知手段による報知は、音声の発生、振動の発生、若しくは光の発生、或いはこれらの組合せによって行なわれる請求項１乃至請求項３の何れかに記載のリモートコントロール機能付き電子機器。
【発明の詳細な説明】
【技術分野】
【０００１】
本発明は、テレビジョン受像機、カーナビゲーション装置、オーディプレーヤ等の電子機器に関し、特にリモートコントロール装置を具えて遠隔制御の可能な電子機器に関するものである。
【背景技術】
【０００２】
従来、リモートコントロール装置を紛失した場合に該リモートコントロール装置を探索することが可能なリモートコントロール(以下、リモコンという)機能付きの電子機器が提案されている(特許文献１〜５)。
この様な電子機器においては、ユーザが機器本体を操作することにより、リモコン装置を探索するためのリモコン探索信号(ロケータ信号)が機器本体から発せられ、該ロケータ信号をリモコン装置が受信すると、該リモコン装置が音声を発することでその位置を報知する。
【０００３】
例えば図３に示すテレビジョン受像機は、テレビジョン受像機本体(８)とリモコン装置(９)から構成されており、テレビジョン受像機本体(８)には、リモコン受信アンテナ(85)とロケータ送信アンテナ(84)が配備される一方、リモコン装置(９)には、リモコン送信アンテナ(96)とロケータ受信アンテナ(93)が配備されている。
【０００４】
テレビジョン受像機本体(８)は、マイクロコンピュータから構成される制御部(81)と、リモコン受信アンテナ(85)を通じてリモコン信号を受信するリモコン受信部(86)と、ロケータ送信アンテナ(84)へロケータ信号を送信するロケータ送信部(83)と、リモコン装置(９)を探索するときに操作すべきロケータ起動スイッチ(82)とを具え、制御部(81)は、ロケータ起動スイッチ(82)の操作信号を受けて、ロケータ送信部(83)に対してロケータ信号の送信を指令する。
【０００５】
リモコン装置(９)は、マイクロコンピュータから構成される制御部(91)と、リモコン送信アンテナ(96)へリモコン信号を送信するリモコン送信部(95)と、ロケータ受信アンテナ(93)を通じてロケータ信号を受信するロケータ受信部(94)と、選局操作等を行なうためのリモコン操作キー(92)と、所定の音声を発する音声発生部(97)とを具え、ロケータ受信部(94)によってロケータ信号が受信されると、制御部(91)は音声発生部(97)に音声の発生を指令する。
【０００６】
図４は、上記テレビジョン受像機における制御動作を表わしている。
テレビジョン受像機本体側においては、先ずステップＳ１にてスイッチ入力を監視し、ステップＳ２ではスイッチ入力があったか否かを判断する。ここでノーと判断されたときはステップＳ１に戻ってスイッチ入力の監視を繰り返す。
【０００７】
ステップＳ２にてイエスと判断されたときは、ステップＳ３に移行して、入力のあったスイッチがロケータ起動スイッチであるか否かを判断する。
ここでノーと判断されたときはステップＳ５に移行して、スイッチ入力に応じた処理を実行し、ステップＳ１に戻ってスイッチ入力の監視を繰り返す。
これに対し、イエスと判断されたときはステップＳ４に移行して、ロケータ送信部に対してロケータ信号の送信を指示した後、ステップＳ１に戻る。
【０００８】
一方、リモコン装置側においては、先ずステップＳ１１にて所定の時間待機した後、ステップＳ１２にてリモコン制御部を起動し、ステップＳ１３では、ロケータ信号の受信を監視する。
続いてステップＳ１４ではロケータ信号を受信したか否かを判断し、ノーと判断されたときはステップＳ１１に戻って同じ処理を繰り返す。
【０００９】
これに対し、テレビジョン受像機本体からリモコン装置へロケータ信号が送信されて、ステップＳ１４にてイエスと判断されたときは、ステップＳ１５に移行して音声発生部に動作を指示する。
次に、ステップＳ１６で音声終了まで待機した後、ステップＳ１１へ戻る。
【００１０】
上記テレビジョン受像機においては、リモコン装置(９)を紛失したとき、ユーザがロケータ起動スイッチ(82)を操作すれば、テレビジョン受像機本体(８)からリモコン装置(９)へロケータ信号が送信されて、該ロケータ信号を受信したリモコン装置(９)の音声発生部(97)が動作することにより、リモコン装置(９)の位置がユーザに報知される。
【００１１】
【特許文献１】特開平６−１６５２６７号公報［H04Q9/00］
【特許文献２】実開平６−５２２９３号公報［H04Q9/00］
【特許文献３】特開２００１−６９５７９号公報［H04Q9/00］
【特許文献４】特開２００２−３２０２７９号公報［H04Q9/00］
【特許文献５】特開２００４−３２８５８９号公報［H04Q9/00］
【発明の開示】
【発明が解決しようとする課題】
【００１２】
しかしながら、リモコン装置の探索が可能な従来の電子機器においては、リモコン装置(９)がテレビジョン受像機本体(８)からのロケータ信号の受信に常に待機している必要があるため、ロケータ信号の受信動作を一定周期で繰り返し実行しており、そのために、リモコン操作キー(92)の操作がない期間においても、リモコン装置(９)に内蔵されている電池(図示省略)の消耗は徐々に進行することになる。
【００１３】
リモコン装置(９)の電池の残存容量(残量)が一定レベル以下に低下すると、テレビジョン受像機本体(８)からロケータ信号を送信したとしても、リモコン装置(９)は音声発生部(97)を駆動することが出来ず、報知動作を行なうことが出来なくなる。
ユーザはリモコン装置(９)の電池の残量を常に把握していないのが通常であるため、リモコン装置(９)の探索時に、ユーザは、リモコン装置(９)が近くに存在するにも拘わらず、リモコン装置(９)がロケータ信号の届かない場所、例えば別の部屋に存在すると誤認する虞があり、この結果、リモコン装置(９)の探索が極めて困難となる問題がある。
【００１４】
そこで本発明の目的は、リモコン装置に内蔵されている電池の残量の低下をユーザが関知していない状況においても、適時の充電若しくは電池交換によってリモコン装置の探索を可能とすることが出来る電子機器を提供することである。
【課題を解決するための手段】
【００１５】
本発明に係るリモコン機能付き電子機器は、機器本体と、該機器本体に対してリモコン信号を送信するリモコン装置とから構成され、機器本体は、リモコン装置へロケータ信号を送信するロケータ送信手段を具える一方、リモコン装置は、機器本体から送られてくるロケータ信号を受信するロケータ受信手段と、該ロケータ受信手段によるロケータ信号の受信に応じて動作する報知手段とを具えている。
又、リモコン装置は、電源となる電池と、該電池の残量を検出する電池残量検出手段と、該電池残量検出手段によって検出された電池残量が所定値を上回っているか否かを判断する判断手段とを具え、前記ロケータ受信手段によってロケータ信号が受信されたとき、前記判断手段によって電池残量が所定値を上回っていないと判断された場合は、ロケータ信号の受信に応じた報知と同時に、電池残量低下の報知を行なう。
【００１６】
尚、前記所定値は、リモコン装置の報知手段による報知動作に必要な電力を賄うことの出来る最低限の電池残量以上の電池残量値に設定されている。
【００１７】
上記本発明のリモコン機能付き電子機器によれば、リモコン装置の電池残量が所定値を上回っている状態で、リモコン装置を探索するべく、機器本体からリモコン装置へロケータ信号を送信すると、リモコン装置によってロケータ信号が受信されて、報知手段が動作し、音声の発生、振動の発生、若しくは光の発生、或いはこれらの組合せによって、リモコン装置の位置がユーザに報知される。
【００１８】
その後、リモコン装置の電池が消耗して電池残量が所定値以下に減少すると、電池残量が前記最低限の電池残量以上である限り、依然としてロケータ信号の受信に応じたリモコン装置の報知動作は可能であり、その報知と同時に、電池残量低下の報知が行なわれる。
そこでユーザは、電池残量低下の報知に応じて電池を充電し、若しくは新しい電池と交換することが出来、これによって、その後のリモコン装置の探索も可能となる。
【００１９】
具体的構成において、前記リモートコントロール装置は、前記ロケータ受信手段によってロケータ信号が受信されたとき、前記報知手段に動作を指令する指令手段を具え、該指令手段は、前記判断手段によって電池残量が所定値を上回っていると判断された場合は、第１のパターンによる報知を前記報知手段に指令する一方、電池残量が所定値を上回っていないと判断された場合は、第２のパターンによる報知を前記報知手段に指令する。
【００２０】
該具体的構成によれば、第１のパターンによる報知が行なわれた場合は、リモコン装置の電池残量が十分な状態での報知と認識することが出来、該報知に基づいてリモコン装置を探索することが可能である。又、第２のパターンによる報知が行なわれた場合は、リモコン装置の電池残量が減少している状態での報知と認識することが出来、該報知に基づいてリモコン装置を探索することが可能であると共に、電池の充電若しくは交換が可能となる。
【発明の効果】
【００２１】
本発明に係るリモコン機能付き電子機器によれば、リモコン装置に内蔵されている電池の残量低下をユーザが関知していない状況においても、適時の充電若しくは電池交換によってリモコン装置の探索が可能となる。
【発明を実施するための最良の形態】
【００２２】
以下、本発明をテレビジョン受像機に実施した形態につき、図面に沿って具体的に説明する。
本発明に係るテレビジョン受像機は、図１に示す如くテレビジョン受像機本体(８)とリモコン装置(４)から構成され、テレビジョン受像機本体(８)には、赤外線のリモコン信号を受信するリモコン受信アンテナ(85)と、電波のロケータ信号を送信するロケータ送信アンテナ(84)が配備される一方、リモコン装置(４)には、赤外線のリモコン信号を送信するリモコン送信アンテナ(46)と、電波のロケータ信号を受信するロケータ受信アンテナ(43)とが配備されている。
【００２３】
テレビジョン受像機本体(８)は、マイクロコンピュータから構成される制御部(81)と、リモコン受信アンテナ(85)を通じてリモコン信号を受信するリモコン受信部(86)と、ロケータ送信アンテナ(84)へロケータ信号を送信するロケータ送信部(83)と、ロケータ起動スイッチ(82)とを具えている。
制御部(81)は、ロケータ起動スイッチ(82)の操作に応じて、ロケータ送信部(83)へロケータ信号の送信を指令する。
【００２４】
リモコン装置(４)は、マイクロコンピュータから構成される制御部(41)と、リモコン送信アンテナ(46)へリモコン信号を送信するリモコン送信部(45)と、ロケータ受信アンテナ(43)を通じてロケータ信号を受信するロケータ受信部(44)と、選局操作等を行なうためのリモコン操作キー(42)と、所定の音声を発する音声発生部(49)と、電源となる電池(47)と、該電池(47)の残量を検出する電池残量検出手段(48)とを具えている。
【００２５】
リモコン装置(４)の制御部(41)は、ロケータ受信部(44)によってロケータ信号が受信されたとき、電池残量検出手段(48)によって検出された電池残量が所定のレベルを上回っている場合には、音声発生部(49)に第１のパターンによる音声の発生を指令する一方、電池残量検出手段(48)によって検出された電池残量が所定のレベルを上回っていない場合には、第２のパターンによる音声の発生を音声発生部(49)に指令する。
尚、前記所定のレベルは、リモコン装置(４)の音声発生部(49)による報知動作に必要な電力を賄うことの出来る最低限の電池残量よりも僅かに大きな電池残量値に設定されている。
【００２６】
図２は、上記テレビジョン受像機における制御動作を表わしている。
テレビジョン受像機本体側においては、先ずステップＳ１にてスイッチ入力を監視し、ステップＳ２ではスイッチ入力があったか否かを判断する。ここでノーと判断されたときはステップＳ１に戻ってスイッチ入力の監視を繰り返す。
【００２７】
ステップＳ２にてイエスと判断されたときは、ステップＳ３に移行して、入力のあったスイッチがロケータ起動スイッチであるか否かを判断する。
ここでノーと判断されたときはステップＳ５に移行して、スイッチ入力に応じた処理を実行し、ステップＳ１に戻ってスイッチ入力の監視を繰り返す。
これに対し、イエスと判断されたときはステップＳ４に移行して、ロケータ送信部に対してロケータ信号の送信を指示した後、ステップＳ１に戻る。
【００２８】
一方、リモコン装置側においては、先ずステップＳ３１にて所定の時間待機した後、ステップＳ３２にてリモコン制御部を起動し、ステップＳ３３では、ロケータ信号の受信を監視する。
続いてステップＳ３４ではロケータ信号を受信したか否かを判断し、ノーと判断されたときはステップＳ３１に戻って同じ処理を繰り返す。
【００２９】
これに対し、テレビジョン受像機本体からリモコン装置へロケータ信号が送信されて、ステップＳ３４にてイエスと判断されたときは、ステップＳ３５に移行して電池残量が所定のレベル以上であるか否かを判断する。ここでイエスと判断されたときは、ステップＳ３６に移行して、音声発生部に第１のパターン(パターンＡ)による音声の発生を指示する。
一方、ステップＳ３５にてノーと判断されたときは、ステップＳ３７に移行して、音声発生部に第２のパターン(パターンＢ)による音声の発生を指示する。
次に、ステップＳ３８で音声終了まで待機した後、ステップＳ３１へ戻る。
【００３０】
上記テレビジョン受像機においては、テレビジョン受像機本体(８)のロケータ起動スイッチ(82)を操作すると、テレビジョン受像機本体(８)からリモコン装置(４)へロケータ信号が送信されて、該ロケータ信号を受信したリモコン装置(９)の音声発生部(49)が動作することにより、リモコン装置(４)の位置がユーザに報知される。
この場合、リモコン装置(４)の電池(47)の残量が所定のレベル以上のときは音声発生部(97)がパターンＡで音声を発生する一方、リモコン装置(４)の電池(47)の残量が所定のレベル未満のときは音声発生部(49)がパターンＢで音声を発生するので、この音声の違いよって、ユーザは電池(47)の残量が十分であるか否かを認識することが出来、必要に応じて電池(47)の充電若しくは交換が可能となる。
【００３１】
従って、ユーザの関知しないところでリモコン装置(４)の電池(47)が消耗し、リモコン装置(４)による報知動作が不可能な状態でリモコン装置(９)の探索を行なうという事態は回避される。
【００３２】
尚、本発明の各部構成は上記実施の形態に限らず、特許請求の範囲に記載の技術的範囲内で種々の変形が可能である。例えば、ロケータ信号受信時のリモコン装置(９)による報知は、音声の発生に限らず、振動の発生や光の発生によって行なうことも可能である。更には、電池残量低下時の報知は、音声発生部(49)とは異なる報知手段、例えばリモコン装置(４)に配備したＬＥＤの点灯によって行なうことも可能である。
又、本発明はテレビジョン受像機に限らず、カーナビゲーション装置、オーディオプレーヤ等、種々の可搬型のリモートコントロール機能付き電子機器に実施することが可能である。
【図面の簡単な説明】
【００３３】
【図１】本発明に係るテレビジョン受像機の構成を示すブロック図である。
【図２】本発明に係るテレビジョン受像機の制御動作を表わすフローチャートである。
【図３】従来のテレビジョン受像機の構成を示すブロック図である。
【図４】従来のテレビジョン受像機の制御動作を表わすフローチャートである。
【符号の説明】
【００３４】
(８)  テレビジョン受像機本体
(81)  制御部
(82)  ロケータ起動スイッチ
(84)  ロケータ送信アンテナ
(85)  リモコン受信アンテナ
(４)  リモコン装置
(41)  制御部
(43)  ロケータ受信アンテナ
(46)  リモコン送信アンテナ
(47)  電池
(48)  電池残量検出手段
(49)  音声発生部
【図１】
2008306246.tif 000003
【図２】
2008306246.tif 000004
【図３】
2008306246.tif 000005
【図４】
2008306246.tif 000006